(57)【要約】【課題】  ボーリング場外においてボーリングゲーム時の状況を表すデータを配信可能とし、ユーザの関心を高め、ボーリングゲームの利用の増加を図ること。【解決手段】  ユーザの識別データを登録するユーザ識別データ記憶手段２５と、ボーリング場のレーンを撮影範囲として画像を取得するレーン画像取得手段１５と、このレーン画像取得手段にて取得されたレーン画像データをユーザの識別データに関連付けてボーリングゲームデータとして記憶するボーリングデータ記憶手段４５と、ユーザのユーザ端末からのボーリングゲームデータの要求に応じてこの要求時に通知されたユーザの識別データ対応するボーリングゲームデータをユーザ端末に配信する配信手段４３と、を備えた。【選択図】図１
2006149431.tif 000002
【特許請求の範囲】
【請求項１】
ボーリング場のレーンを撮影範囲として画像を取得するレーン画像取得手段と、このレーン画像取得手段にて取得されたレーン画像データをボーリングゲームデータとして記憶するボーリングデータ記憶手段と、このボーリングゲームデータをネットワークを介してユーザ端末に配信する配信手段と、を備えたことを特徴とするボーリングゲームデータ配信システム。
【請求項２】
ユーザの識別データを登録するユーザ識別データ記憶手段と、ボーリング場のレーンを撮影範囲として画像を取得するレーン画像取得手段と、このレーン画像取得手段にて取得されたレーン画像データを前記ユーザの識別データに関連付けてボーリングゲームデータとして記憶するボーリングデータ記憶手段と、前記ユーザのユーザ端末からの前記ボーリングゲームデータの要求に応じてこの要求時に通知された前記ユーザの識別データ対応する前記ボーリングゲームデータを前記ユーザ端末に配信する配信手段と、を備えたことを特徴とするボーリングゲームデータ配信システム。
【請求項３】
前記レーン画像取得手段にて取得するレーン画像データは、前記ユーザによって前記レーン上に投球されたボールの軌跡が映し出された画像である、ことを特徴とする請求項２記載のボーリングゲームデータ配信システム。
【請求項４】
前記ボーリング場のレーンに設置されたピンが配置されるピンデッキを撮影範囲として画像を取得するピンデッキ画像取得手段を備え、
前記ボーリングデータ記憶手段が、前記ピンデッキ画像取得手段にて取得されたピンデッキ画像データを前記ピンデッキが位置する前記レーンの前記レーン画像データと共に前記ユーザの識別データに関連付けて前記ボーリングゲームデータとして記憶する、ことを特徴とする請求項２又は３記載のボーリングゲームデータ配信システム。
【請求項５】
前記ボーリングデータ記憶手段が、ボーリングゲームのスコアを管理するスコアデータ管理システムからスコアデータを取得してこのスコアデータを前記レーン画像データと共に前記ユーザの識別データに関連付けて前記ボーリングゲームデータとして記憶する、ことを特徴とする請求項２，３又は４記載のボーリングゲームデータ配信システム。
【請求項６】
前記ボールデータ記憶手段が、前記スコアデータに基づいて前記ユーザによるボールの各投球ごとの当該スコアデータと前記レーン画像データとを関連付けて記憶する、ことを特徴とする請求項５記載のボーリングデータ配信システム。
【請求項７】
前記配信手段が、前記ユーザ端末からの各投球ごとの前記ボーリングゲームデータの要求に応じて、当該要求された投球時の前記ボーリングゲームデータを配信する、ことを特徴とする請求項６記載のボーリングゲームデータ配信システム。
【請求項８】
ボーリング場に設置された画像取得装置であって、
前記ボーリング場のレーンを撮影範囲として設置され前記レーンの画像を取得し、
この取得されたレーン画像データは、前記レーンにてボーリングゲームを行ったユーザのユーザ端末に配信されるデータである、ことを特徴とする画像取得装置。
【請求項９】
ユーザの識別データを登録するユーザ識別データ記憶手段と、ボーリング場に設置されたレーン画像取得装置からレーンを撮影範囲として撮影さえたレーン画像データを取得する画像取得処理手段と、このレーン画像データを前記ユーザの識別データに関連付けてボーリングゲームデータとして記憶するボーリングデータ記憶手段と、前記ユーザのユーザ端末からの前記ボーリングゲームデータの要求に応じてこの要求時に通知された前記ユーザの識別データ対応する前記ボーリングゲームデータを前記ユーザ端末に配信する配信手段と、を備えたことを特徴とするボーリングゲームデータ配信システム。
【請求項１０】
ボーリング場に設置された画像取得装置にて撮影された画像データを、コンピュータにてボーリングゲームを行ったユーザのユーザ端末に配信するボーリングデータ配信方法であって、
前記コンピュータが、
前記画像取得装置にて撮影されたボーリング場のレーンを撮影範囲とするレーン画像データを取得し、このレーン画像データをユーザ識別データ記憶手段に登録されたユーザの識別データに関連付けてボーリングゲームデータとして記憶し、前記ユーザ端末からの前記ボーリングゲームデータの要求に応じてこの要求時に通知された前記ユーザの識別データ対応する前記ボーリングゲームデータを前記ユーザ端末に配信する、ことを特徴とするボーリングゲームデータ配信方法。
【請求項１１】
ボーリング場に設置された画像取得装置にて撮影された画像データを、ボーリングゲームを行ったユーザのユーザ端末に配信するコンピュータに、
前記画像取得装置にて撮影されたボーリング場のレーンを撮影範囲とするレーン画像データを取得する画像取得処理手段と、このレーン画像データをユーザ識別データ記憶手段に登録されたユーザの識別データに関連付けてボーリングゲームデータとして記憶するボーリングデータ記憶手段と、前記ユーザ端末からの前記ボーリングゲームデータの要求に応じてこの要求時に通知された前記ユーザの識別データ対応する前記ボーリングゲームデータを前記ユーザ端末に配信する配信手段と、を実現するためのボーリングゲームデータ配信用プログラム。
【発明の詳細な説明】
【技術分野】
【０００１】
本発明は、ボーリングゲームデータ配信システムにかかり、特に、投球するボールの軌跡画像を含むゲームデータを配信するシステムに関する。また、ボーリングゲームデータ配信方法及びボーリングゲームデータ配信用プログラムに関する。
【背景技術】
【０００２】
従来より、ボーリング場では、ゲームの進行に応じて自動的にゲームスコアを算出するシステムが導入されている。そして、ユーザは、ゲームを行った後、そのゲームスコアをプリントアウトするなどして持ち帰り、自己のスコアを参照してゲーム内容を振り返ることができる。
【０００３】
また、近年では、ボーリングゲーム実行時にユーザの興味を引いたり、ゲーム自体を盛り上げるべく、場内の画面にユーザの投球画面を表示したり、ピンが倒れる状態を表示することが行われている。そして、これを実現するために、ボーリング場内には、種々のカメラが設置されており、その一例として、下記の特許文献１に示すシステムが開示されている。
【０００４】
【特許文献１】実開平３−９６８７４号公報
【発明の開示】
【発明が解決しようとする課題】
【０００５】
しかしながら、上記従来例では、ボーリングゲームの状況はボーリング場内でのみ表示されるだけであって、ゲーム後にそのゲームを振り返る場合にはボーリングのスコアを見ることだけに限られているため、ゲームを振り返って楽しむことには限界がある、という問題が生じる。
【０００６】
また、スコアの向上を目指す者にとっては、後にじっくりとボーリングゲームの状況を振り返ることが必要であるが、上記従来例ではボーリング場内でゲーム時の映像が表示されるだけであって、後に時間をかけてそれを分析することはできない。また、プリントアウトされたスコアを見ただけでは、以後の技術向上の参考にすることは難しく、ボーリング技術の向上に役立てることは困難である。
【０００７】
このため、本発明では、ボーリング場外においてボーリングゲーム時の状況を表すデータを配信可能とし、ユーザの関心を高め、ボーリングゲームの利用の増加を図る、ことをその目的とする。
【課題を解決するための手段】
【０００８】
そこで、本発明の一形態であるボーリングゲームデータ配信システムは、
ユーザの識別データを登録するユーザ識別データ記憶手段と、ボーリング場のレーンを撮影範囲として画像を取得するレーン画像取得手段と、このレーン画像取得手段にて取得されたレーン画像データをユーザの識別データに関連付けてボーリングゲームデータとして記憶するボーリングデータ記憶手段と、ユーザのユーザ端末からのボーリングゲームデータの要求に応じてこの要求時に通知されたユーザの識別データ対応するボーリングゲームデータをユーザ端末に配信する配信手段と、を備えたことを特徴としている。
【０００９】
また、レーン画像取得手段にて取得する上記レーン画像データは、ユーザによってレーン上に投球されたボールの軌跡が映し出された画像である、ことを特徴としている。
【００１０】
上記発明によると、ユーザにボーリングゲーム中のレーン画像が取得されるため、ボールの軌跡など、ボーリングゲーム時の様子をより明確に映し出した画像が取得される。そして、その画像がユーザからの要求に応じてユーザ端末に配信されるため、ユーザはボーリング場外にて、後に自己のゲーム時の画像を閲覧することができる。従って、ボーリングゲームを振り返って楽しんだり、自身のボールの軌跡やフォームなどを確認することができ、ボーリング技術の向上のために利用することができる。その結果、ボールリング場のサービスの向上を図ることができると共に、ユーザの利用頻度の向上をも図ることができる。
【００１１】
また、ボーリング場のレーンに設置されたピンが配置されるピンデッキを撮影範囲として画像を取得するピンデッキ画像取得手段を備え、ボーリングデータ記憶手段が、ピンデッキ画像取得手段にて取得されたピンデッキ画像データをピンデッキが位置するレーンのレーン画像データと共にユーザの識別データに関連付けてボーリングゲームデータとして記憶する、ことを特徴としている。
【００１２】
また、ボーリングデータ記憶手段が、ボーリングゲームのスコアを管理するスコアデータ管理システムからスコアデータを取得してこのスコアデータをレーン画像データと共にユーザの識別データに関連付けてボーリングゲームデータとして記憶する、ことを特徴としている。
【００１３】
上記構成によると、ユーザにはレーン画像データの他に、ピンが倒れる様子を映し出した画像や、スコアデータなどが配信される。従って、ユーザ端末にてより詳細なボーリングゲーム時の様子を再現することができ、よりユーザの満足度の向上を図ることができる。
【００１４】
また、ボールデータ記憶手段が、スコアデータに基づいてユーザによるボールの各投球ごとの当該スコアデータとレーン画像データとを関連付けて記憶する、ことを特徴としている。さらに、配信手段が、ユーザ端末からの各投球ごとのボーリングゲームデータの要求に応じて、当該要求された投球時のボーリングゲームデータを配信する、ことを特徴としている。
【００１５】
これにより、スコアと画像データとが関連付けられるため、各投球時ごとのレーン画像やピン画像を閲覧することができる。特に、ユーザは、特定の投球時のデータのみを選択して取得することも可能である。従って、ユーザは容易に必要なデータのみを閲覧することができ、ユーザの利便性の向上を図ることができる。
【００１６】
また、本発明の他の形態である画像取得装置は、
ボーリング場に設置された画像取得装置であって、
ボーリング場のレーンを撮影範囲として設置されレーンの画像を取得し、
この取得されたレーン画像データは、レーンにてボーリングゲームを行ったユーザのユーザ端末に配信されるデータである、ことを特徴としている。
【００１７】
また、本発明の他の形態であるボーリングゲームデータ配信システムは、
ユーザの識別データを登録するユーザ識別データ記憶手段と、ボーリング場に設置されたレーン画像取得装置からレーンを撮影範囲として撮影さえたレーン画像データを取得する画像取得処理手段と、このレーン画像データをユーザの識別データに関連付けてボーリングゲームデータとして記憶するボーリングデータ記憶手段と、ユーザのユーザ端末からのボーリングゲームデータの要求に応じてこの要求時に通知されたユーザの識別データ対応するボーリングゲームデータをユーザ端末に配信する配信手段と、を備えたことを特徴としている。
【００１８】
また、本発明の他の形態であるボーリングゲームデータ配信方法は、
ボーリング場に設置された画像取得装置にて撮影された画像データを、コンピュータにてボーリングゲームを行ったユーザのユーザ端末に配信するボーリングデータ配信方法であって、
コンピュータが、
画像取得装置にて撮影されたボーリング場のレーンを撮影範囲とするレーン画像データを取得し、このレーン画像データをユーザ識別データ記憶手段に登録されたユーザの識別データに関連付けてボーリングゲームデータとして記憶し、ユーザ端末からのボーリングゲームデータの要求に応じてこの要求時に通知されたユーザの識別データ対応するボーリングゲームデータをユーザ端末に配信する、ことを特徴としている。
【００１９】
また、本発明の他の形態であるボーリングゲームデータ配信用プログラムは、
ボーリング場に設置された画像取得装置にて撮影された画像データを、ボーリングゲームを行ったユーザのユーザ端末に配信するコンピュータに、
画像取得装置にて撮影されたボーリング場のレーンを撮影範囲とするレーン画像データを取得する画像取得処理手段と、このレーン画像データをユーザ識別データ記憶手段に登録されたユーザの識別データに関連付けてボーリングゲームデータとして記憶するボーリングデータ記憶手段と、ユーザ端末からのボーリングゲームデータの要求に応じてこの要求時に通知されたユーザの識別データ対応するボーリングゲームデータをユーザ端末に配信する配信手段と、を実現するためのボーリングゲームデータ配信用プログラムという構成を採っている。
【００２０】
上記形態の発明であっても、上述したボーリングゲームデータ配信システムと同様に作用するため、上述した本発明の目的を達成することができる。
【発明の効果】
【００２１】
本発明は、以上のように構成され機能するので、これによると、ユーザはボーリング場外にて、後に自己のゲーム時の画像を閲覧することができるため、ボーリングゲームを振り返って楽しんだり、自身のボールの軌跡やフォームなどを確認することができ、ボーリング技術の向上のために利用することができる。さらに、ボールリング場のサービスの向上を図ることができるため、ボーリング場にとってはユーザの利用頻度の向上を図ることができる。
【発明を実施するための最良の形態】
【００２２】
本発明は、ボーリングゲームのデータを、ゲームを行ったユーザに配信するシステムである。基本的な構成としては、ボーリング場のレーンを撮影範囲として画像を取得するレーン画像取得手段と、このレーン画像取得手段にて取得されたレーン画像データをボーリングゲームデータとして記憶するボーリングデータ記憶手段と、このボーリングゲームデータをネットワークを介してユーザ端末に配信する配信手段と、を備えている。このうち、特に本発明では、ボーリングのレーンを撮影した画像データを配信することに特徴を有しており、これにより、配信するボーリングゲームデータの有効活用を図る、というものである。以下、実施例にてその構成及び動作を詳細に説明する。
【実施例１】
【００２３】
本発明の第一の実施例を、図１乃至図１０を参照して説明する。図１乃至図５は、本発明の構成を示すブロック図である。図６乃至図８は、本発明にて用いられるデータを説明する説明図である。図９乃至図１０は、本発明の動作を示すシーケンス図である。
【００２４】
［構成］
本発明であるボーリングゲームデータ配信システムは、ボーリング場内に構築されており、本実施例ではボーリング場内システム１として図示する。そして、このボーリング場内システム１は、ネットワークＮを介してユーザが操作するユーザ端末１０１，１０２に接続されており、後述するように、ユーザがプレイしたボーリング時のデータを配信する。
【００２５】
そして、ボーリング場内システム１は、図２に示すように、個人情報管理システム１１とボーリングデータ管理システム１２とを備えており、さらに、個人情報入力端末１３と、スコアデータ管理システム１４と、レーン用カメラ１５と、ピン用カメラ１６と、を備えている。以下、各構成について詳述する。
【００２６】
＜個人情報管理システム＞
個人情報管理システム１１は、個人情報サーバ２０とメールサーバ３０とにより構成されている。そして、個人情報サーバ２０には個人情報入力端末１３が接続されている。ここで、個人情報入力端末１３は、ユーザ自身やボーリング場の従業員によって入力されるボーリングゲームを行うユーザの氏名、住所、性別、年齢等の基本情報とメールアドレスといった個人情報のデータ入力を受け付け、個人情報サーバ２０に送信し、ユーザ登録する端末である。なお、このとき、ユーザがゲームを行うレーン番号も登録される。そして、この個人情報入力端末１３は、例えば、上記機能が組み込まれた一般的なパーソナルコンピュータでもよく、ボーリング場内に設置された専用装置であってもよい。
【００２７】
また、個人情報サーバ２０は一般的なサーバコンピュータにて構成されており、図４に示すように、演算部２１を備え、当該演算部２１には所定のプログラムが組み込まれることによって、個人情報受付処理部２２とＩＤ管理処理部２３とが構築されている。
【００２８】
個人情報受付処理部２２は、上記個人情報入力端末１３に入力された個人情報を受け付けて、ＩＤ管理処理部２３に通知する。そして、ＩＤ管理処理部２３は、通知された個人情報（ゲームを行うユーザの氏名、住所、性別、年齢、ゲームを行うレーン番号等の基本情報とメールアドレス）と、各ユーザの識別データであるＩＤの管理を行う。具体的には、各ユーザの個人情報を識別するための識別データであるＩＤを割り当て、このＩＤに通知されたユーザの個人情報を関連付けて記憶部２４内の個人情報データベース２５に登録する。なお、このとき、ＩＤを割り当てると同時に、ユーザがゲームを行うレーン番号を関連付けてもよい。
【００２９】
また、ＩＤ管理処理部２３は、割り当てられたＩＤを、メールサーバ３０とボーリングデータ管理システム１２とに通知する。このとき、ボーリングデータ管理システム１２へは、ＩＤと共に、ユーザがゲームを行うレーン番号も通知する。また、ＩＤと共に、ユーザの氏名など、個人情報もＩＤと共に通知してもよい。
【００３０】
また、このＩＤ管理処理部２３は、後述するように、ボーリングデータ管理システム１２を構成するボーリングデータサーバ４０よりユーザ端末１０１，１０２から通知されたＩＤを受け付け、個人情報データベース２５の登録情報と比較して、ユーザ認証を行う機能を有する。以上より、個人情報サーバ２０は、ユーザの個人情報の蓄積とＩＤの照合管理を行うサーバである。
【００３１】
また、個人情報管理システム１１を構成するメールサーバ３０は、個人情報サーバ２０のＩＤ管理処理部２３から通知されたＩＤを、当該ＩＤが割り当てられたユーザのメールアドレス宛に配信する。すなわち、各ユーザのユーザ端末１０１，１０２にそれぞれに割り当てられたＩＤを送信する。
【００３２】
＜ボーリングデータ管理システム＞
ボーリングデータ管理システム１２は、ボーリングデータサーバ４０と、ウェブサーバ５０と、携帯端末用ウェブサーバ６０と、により構成されている。そして、ボーリングデータサーバ４０は、ウェブサーバ５０及び携帯端末用ウェブサーバ６０と接続されている。また、ボーリングデータサーバ４０は、個人情報サーバ２０、スコアデータ管理システム１４、レーン用カメラ１５、ピン用カメラと接続されている。そして、後述するように、ユーザのＩＤとスコアデータ及びボーリングゲームの画像データとを関連付けて蓄積及び配信用データの作成を行うと共に、各ウェブサーバ５０，６０を介してユーザへボーリングゲームデータの配信を行う、といったサービスを提供する。
【００３３】
ここで、レーン用カメラ１５（レーン画像取得手段（画像取得手段））は、図３に示すように、ボーリング場内のレーンＢ１上部の天井Ｂ３などに設置されており、少なくともレーンＢ２全体を撮影範囲として、レーン画像データを取得する。さらに具体的には、ボールがユーザの手を離れるファールラインＢ２からピンＢ６が配置されているピンデッキＢ５まで撮影し、これにより、ユーザの投球動作、ユーザが投球したボールの動き（回転や軌跡など）、ピンの跳ね方などを撮影することができる。また、ピン用カメラ１６（ピンデッキ画像取得手段）は、レーンＢ１に設置されたピン・セッターＢ４内、すなわち、ピンＢ６が配置されるピンデッキＢ５の中央上部に配置され、これにより、ピン自体を撮影範囲として、ピンＢ６の跳ね方などの詳細な画像を取得する。そして、レーン用カメラ１５及びピン用カメラ１６は、それぞれ取得した画像を上述したボーリングデータ管理システム１２を構成するボーリングデータサーバ４０に送信する。
【００３４】
また、図３には図示していないが、ボーリング場内にはスコアデータを管理するスコアデータ管理システム１４（スコアデータ管理装置）が備えられており、ユーザに、ゲームを行っているレーン番号やスコアを記録する。そして、通常はスコアをボーリング場内の画面に表示したり、終了後にプリントアウトするだけであるが、本発明では、スコアデータをボーリング管理システム１２を構成するボーリングデータサーバ４０に送信する機能を有する。
【００３５】
そして、上記ボーリングデータ管理システム１２を構成するボーリングデータサーバ４０は、一般的なサーバコンピュータにて構成されており、図５に示すように、演算部４１を備え、当該演算部４１には所定のプログラムが組み込まれることによって、データ蓄積処理部４２とデータ配信処理部４３とが構築されている。
【００３６】
データ蓄積処理部４２は、スコアデータ管理システム１４からスコアデータを、レーン用カメラ１５からはレーン画像データを、ピン用カメラ１６からはピン画像データを、それぞれ取得する機能（画像取得処理手段）を有する。また、上述した個人情報サーバ２０のＩＤ管理処理部２３からはユーザに割り当てられ送信されたＩＤとレーン番号を受信し、このＩＤに、上記取得したスコアデータ、レーン画像データ、ピン画像データを関連付けて、記憶部２４内にゲームデータベース４５として蓄積する機能を有する（ボーリングデータ記憶手段）。このとき、ＩＤとスコアデータ及び画像データは、ＩＤとレーン番号とに基づいて関連付けて蓄積する。さらに、このとき、ユーザの氏名など個人情報もゲームデータベースとしてＩＤと共に蓄積してもよい。
【００３７】
ここで、上記ゲームデータベース４５の具体例を、図６に示す。この図に示すように、ゲームデータベース４５には種々のユーザのデータが蓄積されており、あるユーザ（ＩＤ××）のゲームデータ４５Ａとして、そのレーンで同時にゲームを行った他のユーザのゲームデータが、レーンごとにまとまって蓄積されている。そして、各ユーザにおいて、フレーム４５Ａａ、さらに各フレームにおける投球４５Ａｂが区別されており、各投球ごとのスコアデータ、レーン画像データ、ピン画像データが記憶される。また、ゲームデータベース４５には、予め図７（ａ），（ｂ）に示すようなコメントデータも蓄積されており、データ蓄積処理部４２によって上述したように画像データ等が蓄積される際に、スコアデータに対応して抽出され、当該スコアデータに関連付けられて記憶される。なお、図７（ａ）は倒したピンに対応したコメントであり、図７（ｂ）はトータルスコアに対応するコメントデータである。これらのデータも、後にユーザ端末１０１，１０２に配信されるボーリングゲームデータとして蓄積されている。
【００３８】
また、データ配信処理部４３（配信手段）は、後述する各ウェブサーバ５０，６０からのＩＤ認証依頼を受け付け、個人情報サーバ２０に認証指示を出し、照合させる。そして、照合の結果に応じて、各ウェブサーバ５０，６０を介してゲームデータベース４５に蓄積されたボーリングゲームデータを配信すべく、配信用データに変換する。そして、実際に、各ウェブサーバ５０，６０を介してユーザ端末１０１，１０２に配信する。
【００３９】
ここで、配信時には、例えば、図８に示すような画面を作成して、各ウェブサーバ５０，６０を介してユーザ端末１０１，１０２に配信する。まず、ユーザ端末１０１，１０２からウェブサーバ５０，６０にアクセスがあると、図８（ａ）に示すボーリング場のホームページを配信する。このホームページ上には、ゲーム配信コーナーの欄にユーザのＩＤを入力する欄が設けられており、ボーリングゲームの配信要求することができる。そして、データ配信処理部４３は、ウェブサーバ５０，６０を介してＩＤの入力を受けた後は、個人情報サーバ２０にＩＤの照合を依頼する。その後、照合が成功したことの通知をうけると、ゲームデータベース４５からＩＤに関連付けられたボーリングゲームデータを抽出し、そのゲームスコア表を配信する。図８（ｂ）は、ユーザが入力したＩＤの照合が成功された後に表示される画面である。この画面にて表示されているデータは、ユーザ名（OOO様）、ゲーム利用の月日（O月O日）、何番目のゲームスコア表であるかの表示（ゲーム１）、ゲームの切り替え表示（down/up）、ゲームスコア表、プロのコメント、ボ−ルスピード（ooKm）、再生スピード（←・→）、配信動画のフレームの1本目・2本目の表示、レーン上部からの動画フレームからなる。そして、かかる表示に対してユーザ端末１０１，１０２にて所定の操作がなされると、その操作がウェブサーバ５０，６０を介してデータ配信処理部４３が認識し、当該操作に対応するボーリングゲームデータを配信用に変換してウェブサーバ５０，６０を介してユーザ端末１０１，１０２に配信する。このとき、図８（ｂ）に示すように、スコア表において各フレーム、さらには、各フレームの第１投目、第２投目を選択することができ、各投球に対応した画像データなども受信可能である。例えば、符号Ｃ１にて示すように、ユーザＢ・Ｂの第５フレームを選択すると、当該フレームにて投球した際のレーン画像データ及びピン画像データが配信される。
【００４０】
次に、ウェブサーバ５０及び携帯電話用ウェブサーバ６０について詳述する。各ウェブサーバ５０，６０は、ユーザ端末１０１，１０２からの要求に応じて、ボーリングデータサーバ４０のデータ配信処理部４３を介して上記ゲームデータベース４５に蓄積されたボーリングゲームデータを配信するサーバである。なお、これらウェブサーバ５０，６０にアクセスするユーザ端末１０１，１０２は、ユーザが操作するパーソナルコンピュータなどの固定端末１０１や携帯電話などの携帯端末１０２であり、いずれもインターネット網（ネットワークＮ）に接続可能なよう通信機能を備え、上記ボーリング場内システム１から配信されたデータを受信し、表示部に表示することが可能である。具体的には、ユーザ端末１０１，１０２は、上述したように個人情報サーバ２０から電子メールによりＩＤの通知を受け取り、かかるＩＤを各ウェブサーバ５０，６０に通知してボーリングゲームデータの取得要求を行うことで、ゲームスコア表画面の配信とゲーム内の指定したフレームの動画配信のサービスを受けることができる。
【００４１】
上記各ウェブサーバ５０，６０について詳述すると、まず、ウェブサーバ５０は、ホームページ用サーバであり、固定端末であるユーザ端末１０１から入力されたＩＤを受け取ってボーリングデータサーバ４０に送り、ＩＤの照合が成功すると、当該ユーザの配信用のボーリングゲームデータをボーリングデータサーバ４０から取得して、インターネット網（ネットワークＮ）を介しユーザ端末１０１に送信する。また、携帯端末用ウェブサーバ６０も基本的には上記ウェブサーバ５０と同一であるが、特に携帯端末専用のホームページ用サーバであり、例えば、ｉモード（登録商標）用ホームページサーバである。そして、上述同様に、携帯端末であるユーザ端末１０２から入力されたＩＤを受け付け、ボーリングデータサーバ４０に送ってＩＤの照合が成功すると、当該ユーザの配信用のボーリングゲームデータをボーリングデータサーバ４０から取得して、インターネット網（ネットワークＮ）を介しユーザ端末１０１に送信する。
【００４２】
［動作］
次に、上記構成のボーリング場内システム１の動作を、図９乃至図１０を参照して説明する。図９は、ユーザがボーリングゲームを行い、その際におけるボーリングゲームデータを蓄積する動作を示すシーケンス図である。図１０は、ゲーム後にボーリングゲームデータの配信をするときの動作を示すシーケンス図である。
【００４３】
まず、ユーザは、ボーリングのゲーム申込み時に、ボーリング配信サービスの申込みを行う。申込みは、利用者の氏名、住所、性別、年齢、メールアドレスを個人情報入力端末１３に対して入力することにより行う。すると、入力された個人情報が個人情報サーバ２０に送信される（ステップＳ１）。なお、このとき、ユーザがゲームを行うレーン番号も個人情報として入力する。
【００４４】
続いて、個人情報サーバ２０は、個人情報受付処理部２２にて個人情報を受け付け、ＩＤ管理処理部２３に通知する。すると、ＩＤ管理処理部２３は、個人情報にＩＤを割り当て、個人情報データベース２５に登録する（ステップＳ２）。また、ほぼ同時に、ＩＤや個人情報内のメールアドレスをメールサーバ３０に通知し、ＩＤの配信指示を行う（ステップＳ３）。これに応じて、メールサーバ３０は、メールアドレス宛すなわちユーザ端末１０１，１０２に対してＩＤを通知する（ステップＳ４）。これを受けたユーザ端末１０１，１０２のユーザは、ＩＤを端末内に記憶させておくか、自身がメモをして管理する。さらに、これとほぼ同時に、ＩＤ及び個人情報（レーン番号を含む）をボーリングデータ管理システム１２のボーリングデータサーバ４０にも通知する（ステップＳ５）。
【００４５】
その後、ユーザにてボーリングゲームが開始されると、各レーンごとに、スコアデータ管理システムからスコアデータが、レーン用カメラ１５からはレーン画像データが、ピン用カメラ１６からはピン画像データが、それぞれボーリングデータサーバ４０に送信される（ステップＳ６）。すると、ボーリングデータサーバ４０のデータ蓄積処理部４２は、レーン番号に基づいて、ＩＤと、上記スコアデータ、レーン画像データ、ピン画像データとが関連付けて、ゲームデータベース４５に記憶する（ステップＳ７）。そして、ゲームデータの蓄積をユーザのゲーム終了まで行う。これにより、図６に示すように、ボーリングゲームデータが蓄積されることとなる。
【００４６】
続いて、ユーザがボーリングゲームを行ったときの画像などの閲覧を要求する際には、ユーザの固定端末１０１あるいは携帯端末１０２には、ボーリング場のホームページにアクセスする（ステップＳ１１）。すると、ウェブサーバ５０，６０は、アクセスしてきたユーザ端末１０１，１０２にボーリング場のホームページ画面を配信する（ステップＳ１２）。すると、ユーザ端末１０１，１０２には、ホームページ画面が表示される。
【００４７】
これに対して、ユーザは、ホームページに対して、事前にメールにて配信されたＩＤをゲーム配信コーナーのＩＤ入力欄に入力する（ステップＳ１３）。入力されたＩＤは、ウェブサーバ５０，６０に受け付けられ、ウェブサーバ５０，６０はボーリングデータサーバ４０に通知して、認証を依頼する（ステップＳ１４）。そして、ＩＤを受け付けたボーリングデータサーバ４０のデータ配信処理部４３は、個人情報サーバ２０にＩＤ認証を依頼する（ステップＳ１５）。
【００４８】
続いて、個人情報サーバ２０のＩＤ管理処理部２３は、認証依頼されたＩＤが個人情報データベース２５に登録されているかを調べる（ステップＳ１６）。そして、その認証の結果をボーリングデータサーバ４０に通知する（ステップＳ１７）。ここでは、ＩＤが個人情報データベース２５に存在し、認証が確認されたものとする。
【００４９】
すると、ボーリングデータサーバ４０のデータ配信処理部４３は、認証確認されたＩＤに関連付けられたボーリングゲームデータをゲームデータベース４５から検索し、検索されたゲームデータを抽出する（ステップＳ１８）。そして、抽出したボーリングゲームデータに基づいて、ユーザ端末１０１，１０２にウェブサーバ５０，６０を介して配信可能なよう加工する。例えば、図６（ｂ）に示すように、ゲームの各フレームが選択可能な画面を生成する。そして、ウェブサーバ５０，６０を介して、ユーザ端末１０１，１０２に配信する（ステップＳ１９）。
【００５０】
続いて、ユーザ端末１０１，１０２では、配信された画面が表示され、かかる画面上にて再生スピード（←・→）の設定や、ゲーム切替設定、配信動画のフレームの選択を、ユーザが操作部を介して行う。そして、例えば、ユーザがユーザ端末１０１，１０２にて、所定のフレームを選択してかかるフレームのデータを要求すると、フレームを指定する情報がウェブサーバ５０，６０を介してボーリングデータサーバ４０のデータ配信処理部４３に通知される（ステップＳ２０）。これに応じて、データ配信処理部４３は、ゲームデータベース４５内から、指定されたフレームのレーン画像データやピン画像データなどのボーリングゲームデータを抽出し、ウェブサーバ５０，６０を介してユーザ端末１０１，１０２に送信する（ステップＳ２１）。
【００５１】
これにより、ユーザ端末１０１，１０２上には、ボーリングゲーム時のスコアや画像データが再生され、ユーザはかかる画像等を閲覧することができる。そして、ユーザがかかるサービスを受けることを終了する場合には、ホームページを閉じて終了となる。
【００５２】
このようにすることで、従来では、ボーリングのゲームはボーリング場では楽しむものの、終わった後はスコア表しか残らず、後に振り返ることが困難であったが、本発明では、ゲームの盛り上がりなどを動画データとして後にユーザ端末１０１，１０２で閲覧することができ、再度楽しむことができる。また、ゲーム時の映像を見ることで、自身のボールの軌跡やフォームなどを確認することができ、ボーリング技術の向上のために利用することができる。従って、ボーリングを一過性のゲームとしてではなく、後にも振り返って楽しむことができ、ユーザの満足度の向上を図ることができ、このため、ボーリング場でのサービスの向上を図ることができることから、集客力の増大をも図ることができる。
【００５３】
さらに、ユーザは、特定のフレームの投球といったゲーム内から特定の場面のみの画像データなどを閲覧することもできるため、よりユーザの利便性の高いシステムを提供することが可能である。
【産業上の利用可能性】
【００５４】
本発明は、ボーリング場がボーリング時の情報を配信して利用者の増大を図るシステムとして設置可能であり、産業上の利用可能性を有する。
【図面の簡単な説明】
【００５５】
【図１】本発明の全体構成を示すブロック図である。
【図２】本発明の構成を示す機能ブロック図である。
【図３】本発明におけるボーリング場内の構成を示す概略図である。
【図４】図２に開示した個人情報管理システムの構成を示すブロック図である。
【図５】図２に開示したボーリングデータ管理システムの構成を示すブロック図である。
【図６】ゲームデータベースに蓄積されるボーリングゲームデータの一例を示す説明図である。
【図７】図７（ａ），（ｂ）は、それぞれボーリングゲームデータに組み込まれるデータの一例を示す説明図である。
【図８】図８（ａ），（ｂ）は、それぞれユーザ端末に配信される画面の一例を示す説明図である。
【図９】本発明の動作を示すシーケンス図であり、特に、ボーリングゲームデータの蓄積動作を説明する図である。
【図１０】本発明の動作を示すシーケンス図であり、特に、ボーリングゲームデータの配信動作を説明する図である。
【符号の説明】
【００５６】
１  ボーリング場内システム（ボーリングゲームデータ配信システム）
１１  個人情報管理システム
１２  ボーリングデータ管理システム
１３  個人情報入力端末
１４  スコアデータ管理システム
１５  レーン用カメラ（レーン画像取得手段）
１６  ピン用カメラ（ピン画像取得手段）
２０  個人情報サーバ
２２  個人情報受付処理部
２３  ＩＤ管理処理部
２５  個人情報データベース（ユーザ識別データ記憶手段）
３０  メールサーバ
４２  データ蓄積処理部
４３  データ配信処理部（配信手段）
４５  ゲームデータベース（ボーリングデータ記憶手段）
５０  ウェブサーバ
６０  携帯端末用ウェブサーバ
１０１  ユーザ端末（固定端末）
１０２  ユーザ端末（携帯端末）
【図１】
2006149431.tif 000003
【図２】
2006149431.tif 000004
【図３】
2006149431.tif 000005
【図４】
2006149431.tif 000006
【図５】
2006149431.tif 000007
【図６】
2006149431.tif 000008
【図７】
2006149431.tif 000009
【図８】
2006149431.tif 000010
【図９】
2006149431.tif 000011
【図１０】
2006149431.tif 000012